(57)【要約】【課題】扉の４辺を樹脂枠で囲まれた冷蔵庫の扉は、夏場などの高温の外気温で扉の外側が温められるのと同時に冷蔵庫内で冷やされた扉の内側の温度差で樹脂製の枠が反ってしまうということ。また、変形しやすく、扉の剛性が弱いということ。【解決手段】外板１０６の左右辺をコの字に折り曲げることによって、外板の左右辺の剛性をあげることが出来る。外板１０６の左右側面の剛性により、扉内部に補強鉄板を用いずに扉の剛性が得られる。これによって、補強板の組み立て工数減、部品点数減、冷蔵庫の重量減、コスト低減ができる。【選択図】図２
2006046787.tif 000002
【特許請求の範囲】
【請求項１】
扉の外郭４辺を樹脂製の枠と、扉の正面にある金属製の薄板で出来た外板と、樹脂製の内板と、これらで形成される空間に充填される発泡断熱材を備え、前記外板の左右辺をコの字に折り曲げた扉を備えた冷蔵庫。
【請求項２】
左右枠のうち少なくとも一方に押出成形品を用いた請求項１に記載の冷蔵庫。
【請求項３】
左右枠のうち少なくとも一方をコの字に折り曲げた外板の側面と左右外郭の樹脂製の枠を両面テープで固定した請求項１または２に記載の冷蔵庫。
【請求項４】
左右枠のうち少なくとも一方をコの字に折り曲げた外枠の側面に設けた穴から扉内部に充填された発泡断熱材を左右外郭の樹脂で出来た枠の内面に漏らすことにより前記枠を発泡断熱材で固着させた請求項１から３のいずれか一項に記載の冷蔵庫。
【請求項５】
左右枠のうち少なくとも一方の内面に扉内部に充填される発泡断熱材の流れる溝を設けて断熱材と前記枠の固着する力を高めた請求項４に記載の冷蔵庫。
【請求項６】
左右枠のうち少なくとも一方の内面に突起物を設けて、左右辺をコの字に折り曲げた外枠の側面に設けた穴に前記突起物を突き刺し、扉内部に充填される発泡断熱材で前記突起物を保持させた請求項１から５のいずれか一項に記載の冷蔵庫。
【請求項７】
左右枠の内面に爪を構成した突起物を設けて、左右辺をコの字に折り曲げた外枠の側面に設けた穴に前記爪を引っ掛けて、外板と左右枠のうち少なくとも一方を固着させた請求項１から６のいずれか一項に記載の冷蔵庫。
【請求項８】
左右辺をコの字に折り曲げた外枠の側面の内側に左右枠を固定するためのビス穴を設けた金属製の止め板を組み込み、左右枠のうち少なくとも一方を金属製の止め板とビスで固定した請求項１から７のいずれか一項に記載の冷蔵庫。
【請求項９】
左右辺をコの字に折り曲げた外枠の側面の内側に左右枠を固定するためのビス穴を設けた樹脂製の止め板を組み込み、左右枠のうち少なくとも一方を樹脂製の止め板とビスで固定した請求項１から８のいずれか一項に記載の冷蔵庫。
【請求項１０】
左右辺をコの字に折り曲げた外枠の側面に左右枠をビスで固定するためのピアス穴を設け、左右枠のうち少なくとも一方をビスで固定した請求項１から９のいずれか一項に記載の冷蔵庫。
【発明の詳細な説明】
【技術分野】
【０００１】
本発明は、扉の４辺を樹脂枠で囲まれた冷蔵庫の扉に関するものである。
【背景技術】
【０００２】
従来の冷蔵庫の扉としては金属製の薄い平板で出来た外板を樹脂で形成された枠を上下左右で挟み込んだものがある。（例えば、特許文献１、特許文献２参照）
図１７から２０は、特許文献１に記載された従来のシステムキッチン冷蔵庫の扉に関するものであり、図１７は冷蔵庫扉の正面図、図１８は冷蔵庫扉の分解斜視図、図１９は冷蔵庫扉の横断面図、図２０は冷蔵庫扉の組立図を示すものである。図１７から１９に示すように横辺に化粧板６の挿入溝１１と端部に凹溝１２を有した上下枠１３と、左右の側面に複数個の側面穴１４を設けた左右枠１５とを外板３と共に挟着させ、断熱材５を充填することにより、扉を形成している。１７は扉蓋であり、端部に凸状リブ１８と側面裏側に楔状リブ１９を設けられ、前辺は化粧板６を支持させている。上記構成において、扉上下枠１３の化粧板挿入溝１１へ化粧板６を挿入し上下辺を支持する。扉蓋１７の凸状リブ１８を、扉上下枠１３の凹溝１２へ湾曲させ側面より圧入するとともに、楔状リブ１９を側面穴１４に挿入することにより取付けられる。
【０００３】
図２１から２４は、特許文献２に記載された従来の冷蔵庫の扉に関するものであり、図２１は冷蔵庫の斜視図、図２２は冷蔵庫扉の斜視図、図２３は図２２の断面ＡＡ、図２４は図２２の断面ＢＢを示すものである。扉２１は枠２２、外板２３、内板２４、発泡断熱材２５等より構成されている。補強板２８は枠２２の内側に配設され、扉２１の剛性を保っている。
【特許文献１】特開平５−３１２４６４号公報
【特許文献２】実公昭６１−２３２７２号公報
【発明の開示】
【発明が解決しようとする課題】
【０００４】
しかしながら、上記従来の構成は、外板３を上下枠１３と左右枠１５にある溝１２に挿入する際に、薄い金属性の平板である外板３を持つと図２０のように外板３は撓んでしまう。そのために溝１２に挿入し難く組み立てにくい欠点があった。また、溝に挿入された外板は溝に刺さっているだけで、非常に抜けやすいという欠点があった。そのために上下枠１３と左右枠１５と外板２が組み合わせても、外れやすいので作業性が悪かった。また、外れ防止用テープで上下枠１３、左右枠１５と外板３を固定させる場合もあり、組立工数増、コスト増になっていた。発泡断熱材を充填された扉１０は４辺が樹脂製のため、夏場などの高温の外気温で扉の外側が温められるのと同時に冷蔵庫内で冷やされた扉１０の内側の温度差で樹脂製の枠が反ってしまうという欠点があった。また、樹脂製の枠で構成された扉１０は外力で変形しやすく、扉１０の剛性が弱いという欠点があった。さらに、扉２１の剛性をあげるために、枠２２の内側に補強用鉄板２８を取付けるので、補強板２８の取り付け作業が必要なこと、部品点数が増加すること、扉重量が増加すること、など生産性向上、コスト低減の面で低下する欠点があった。本発明は従来の課題を解決するもので、剛性が高く、組み立てやすく、さらに低コストの扉を提供することを目的とする。
【課題を解決するための手段】
【０００５】
上記従来の課題を解決するために、本発明の冷蔵庫の扉は、扉の外郭４辺を樹脂製の枠と、扉の正面にある金属製の薄板で出来た外板と、樹脂製の内板と、これらで形成される空間に充填される発泡断熱材を備え、前記外板の左右辺をコの字に折り曲げたものである。
【０００６】
これによって、外板は左右辺をコの字に折り曲げられて剛性を持たせることにより、平板よりも組立作業がしやすくなる。また、左右辺をコの字に折り曲げられた外板は枠にある溝に挿入されると外板の内側にある枠のリブを抱え込み、外板は枠から抜けにくくなる。さらに、左右辺をコの字に折り曲げられた外板によって扉自身の剛性を構成している。
【発明の効果】
【０００７】
本発明の冷蔵庫の扉は左右辺をコの字に折り曲げられて剛性を持った外板により上下の枠の溝に挿入しやすく、また抜け難くなり、組み立て性が向上する。また、組み立てられた扉は左右辺を折り曲げられた外板の剛性によって扉自身の剛性があがる。さらに剛性があがることで、補強用鉄板を廃止でき、補強板の組み立て工数減、部品点数減、冷蔵庫の重量減、コスト低減に繋がる。
【発明を実施するための最良の形態】
【０００８】
請求項１に記載の発明は、扉の外郭４辺を樹脂製の枠と、扉の正面にある金属製の薄板で出来た外板と、樹脂製の内板と、これらで形成される空間に充填される発泡断熱材を備え、前記外板の左右辺をコの字に折り曲げることにより、上下の枠の溝に挿入しやすく、また抜け難くなり、組み立て性を向上できる。また、組み立てられた扉は左右を折り曲げられた外板の剛性によって扉自身の剛性を高めることが出来る。さらに剛性があがることで、補強用鉄板を廃止でき、補強板の組み立て工数減、部品点数減、冷蔵庫の重量減、コスト低減ができる。
【０００９】
請求項２に記載の発明は、請求項１に記載の発明に、左右枠のうち少なくとも一方に押出成形品を用いることにより、金型費を抑えることができる。
【００１０】
請求項３に記載の発明は、請求項１から請求項２のいずれか一項に記載の発明に、左右枠のうち少なくとも一方をコの字に折り曲げた外板の側面と左右外郭の樹脂製の枠を両面テープで固定することにより、扉組み立て時に、簡単に左右枠を取り付けられて作業性のよい組み立てができる。
【００１１】
請求項４に記載の発明は、請求項１から請求項３のいずれか一項に記載の発明に、左右枠のうち少なくとも一方をコの字に折り曲げた外枠の側面に設けた穴から扉内部に充填された発泡断熱材を左右外郭の樹脂製の枠内面に漏らすことにより前記枠を発泡断熱材で固着させ、左右枠を外板に容易に固定できる。さらに左右枠を固定するために部品、たとえば両面テープなどを減らすことができ、組み立て工数減やコスト低減が出来る。
【００１２】
請求項５に記載の発明は、請求項１から請求項４のいずれか一項に記載の発明に、左右枠のうち少なくとも一方の内面に扉内部に充填される発泡断熱材の流れる溝を設けて断熱材と前記枠の固定する力を高めることにより、左右枠を外板に容易に固定できる。さらに左右枠を固定するために部品、たとえば両面テープなどを減らすことができ、組み立て工数減やコスト低減ができる。
【００１３】
請求項６に記載の発明は、請求項１から請求項５のいずれか一項に記載の発明に、左右枠のうち少なくとも一方の内面に突起物を設けて、左右辺をコの字に折り曲げた外枠の側面に設けた挿入穴に前記突起物を突き刺し、扉内部に充填される発泡断熱材で前記突起物を保持させることにより、左右枠を外板に容易に固定できる。また、突起物が外板に組み込むときの位置きめの役割も持ち、取り付け作業性を高めることが出来る。さらに左右枠を固定するために部品、たとえば両面テープなどを減らすことができ、組み立て工数減やコスト低減ができる。
【００１４】
請求項７に記載の発明は、請求項１から請求項６のいずれか一項に記載の発明に、左右枠のうち少なくとも一方の内面に爪を構成したリブを設けて、左右辺をコの字に折り曲げた外枠の側面に設けた引っ掛け穴に前記爪を引っ掛けて、外板と左右枠を固定させることにより、左右枠を外板に容易に固定できる。また、突起物が外板に組み込むときの位置きめの役割も持ち、取り付け作業性を高めることが出来る。さらに左右枠を固定するために部品、たとえば両面テープなどを減らすことができ、組み立て工数減やコスト低減ができる。
【００１５】
請求項８に記載の発明は、請求項１から請求項７のいずれか一項に記載の発明に、左右枠のうち少なくとも一方をコの字に折り曲げた外枠の側面の内側に左右枠を固定するためのビス穴を設けた金属製の止め板を組み込み、左右枠を止め板とビスで固定することにより、発泡断熱材を充填後も左右枠を容易に取り外せる。これによりこれまで化粧板を交換するために左右枠に被せていた扉蓋が必要であったシステムキッチン冷蔵庫においてに左右枠が扉蓋の機能も持つので、部品点数を減らすこととなり、取り付け作業工数減とコスト低減ができる。
【００１６】
請求項９に記載の発明は、請求項１から請求項８のいずれか一項に記載の発明に、左右枠のうち少なくとも一方をコの字に折り曲げた外枠の側面の内側に左右枠を固定するためのビス穴を設けた樹脂製の止め板を組み込み、左右枠を止め板とビスで固定することにより、発泡断熱材を充填後も左右枠を容易に取り外せる。これによりこれまで化粧板を交換するために左右枠に被せていた扉蓋が必要であったシステムキッチン冷蔵庫においてに左右枠が扉蓋の機能も持つので、部品点数を減らすこととなり、取り付け作業工数減とコスト低減ができる。
【００１７】
請求項１０に記載の発明は、請求項１から請求項９のいずれか一項に記載の発明に、左右枠のうち少なくとも一方をコの字に折り曲げた外枠の側面に左右枠をビスで固定するためのピアス穴を設け、左右枠をビスで固定することにより、発泡断熱材を充填後も左右枠を容易に取り外せる。これによりこれまで化粧板を交換するために左右枠に被せていた扉蓋が必要であったシステムキッチン冷蔵庫においてに左右枠が扉蓋の機能も持つので、部品点数を減らすこととなり、取り付け作業工数減とコスト低減ができる。
【００１８】
（実施の形態１）
図１から４は、本発明の実施の形態１および２における冷蔵庫の扉を示すものである。図１から４において、１０１は本発明の冷蔵庫の扉であり、扉の外郭４辺を構成する樹脂製の上下枠１０２、左右枠１０４と、扉の正面にある金属製の薄板で出来た外板１０６と、樹脂製の内板１０７と、これらで形成される空間に充填される発泡断熱材１０８で構成されている。外板１０６の左右辺はコの字状に折曲されており、前面壁１０９、左右側壁１１０およびこれら両側壁の先端部を内側へ折曲して前面壁１０９と対向するフランジ部１１２とからなる。上下枠１０２は外板１０６を挿入するための溝１１４が設けられており、溝１１４に挿入することで外板１０６は上下枠１０２に保持される。左右枠１０４は外板１０６の左右側壁１１０にそれぞれ取り付けられる。
【００１９】
外板１０６の左右辺をコの字に折り曲げることによって、外板の左右辺の剛性をあげることが出来る。これによって外板１０６を上下枠１０２に組み込むとき、上下枠１０２の外板１０６を挿入する溝１１４の内側リブ１１５をガイドにして外板１０６を挿入するので、外板１０６を挿入しやすくなる。また、内側リブ１１５が抱え込むように外板１０６を溝１１４に挿入するので、外板１０６は上下枠１０２から抜け難い。左右枠１０４を組み付けた後も、扉１０１は上下枠１０２と外板１０６の組み合わせにより組み立て強度を保っているので、組み立て後の扉の移動を扱いやすくなる。
【００２０】
また、発泡断熱材１０８を充填されることで、扉１０１はさらに強度を増し、外板１０６の左右側面の剛性により、扉内部に補強鉄板を用いずに扉の剛性が得られる。これによって、補強板の組み立て工数減、部品点数減、冷蔵庫の重量減、コスト低減ができる。
【００２１】
（実施の形態２）
図２において左右枠１０４のうち少なくとも一方で押出成形品を用いている。押出成形品は射出成形品に比べて金型費が安価であるのでコスト低減が出来る。また、外板１０６の左右辺をコの字に折り曲げていることにより、扉１０１の左右辺の剛性が高いので、剛性の弱い押出成形品を用いても、補強材を必要としない。これにより補強板の組み立て工数減、部品点数減、冷蔵庫の重量減、コスト低減ができる。
【００２２】
（実施の形態３）
図５において、本発明の実施の形態３における冷蔵庫の扉の分解斜視図を示すものである。左右枠１０４の内側に貼り付けられた両面テープ１３１で用いて、外板１０６の左右壁１１０、１１１に左右枠１０４を貼り付ける。貼り付けられた左右枠１０４は扉に発泡断熱材１０８を充填するときに発生する発泡圧によって、圧着される。左右枠１０４は上下枠１０２と外板１０６を組み立てた後で貼り付けるので、組み立て作業性の良いものとなる。
【００２３】
（実施の形態４）
図６において、本発明の実施の形態４における冷蔵庫の扉の分解斜視図を示すものである。左右辺をコの字に折り曲げた外枠１０６の左右側壁１１０に設けた穴１４１から扉内部に充填された発泡断熱材１０８を左右枠１０４の内側に漏らすことにより左右枠１０４を発泡断熱材１０８で固着させ、左右枠１０４を外板１０６に容易に固定できる。さらに左右枠１０４を固定するために部品、たとえば両面テープなどを減らすことができ、組み立て工数減やコスト低減が出来る。
【００２４】
（実施の形態５）
図７から８において、本発明の実施の形態５における冷蔵庫の扉の分解斜視図を示すものである。左右枠１０４の内面に扉内部に充填される発泡断熱材１０８が流れ込む溝１５１を設けて発泡断熱材１０８と左右枠１０４の固着する力を実施の形態４よりも高めることができ、左右枠１０４を外板１０６に容易に固定できる。さらに左右枠１０４を固定するために部品、たとえば両面テープなどを減らすことができ、組み立て工数減やコスト低減ができる。
【００２５】
（実施の形態６）
図９から１０において、本発明の実施の形態６における冷蔵庫の扉の分解斜視図を示すものである。左右枠１０４の内面に突起物１６１を設けて、外枠１０６の左右側壁１１０に設けた挿入穴１６２に突起物１６１を突き刺し、扉内部に充填される発泡断熱材１０８で突起物１６１を固着させることにより、左右枠１０４を外板１０６に容易に固定できる。また、突起物１６１が外板１０６に組み込むときの位置きめの役割も持ち、取り付け作業性を高めることが出来る。さらに左右枠を固定するために部品、たとえば両面テープなどを減らすことができ、組み立て工数減やコスト低減ができる。
【００２６】
（実施の形態７）
図１１から１２において、本発明の実施の形態７における冷蔵庫の扉の分解斜視図を示すものである。左右枠１０４の内面に爪１７１を構成したリブ１７２を設けて、外枠１０６の左右側壁１１０に設けた引っ掛け穴１７３に前記爪１７１を引っ掛けて、外板１０６と左右枠１０４を固定させることにより、左右枠１０４を外板１０６に容易に固定できる。また、突起物１７２が外板１０６に組み込むときの位置きめの役割も持ち、取り付け作業性を高めることが出来る。さらに左右枠を固定するために部品、たとえば両面テープなどを減らすことができ、組み立て工数減やコスト低減ができる。
【００２７】
（実施の形態８）
図１３から１４において、本発明の実施の形態８および９における冷蔵庫の扉の分解斜視図を示すものである。外枠１０６の左右側壁１１０の内側に左右枠１０４をビス固定するためのビス穴１８１を設けた金属製および樹脂製の止め板１８２を組み込み、左右枠１０４を止め板１８２にビス固定することにより、発泡断熱材１０８を充填後も左右枠１０４を容易に取り外せる。これによりこれまで化粧板を交換するために左右枠に被せていた扉蓋が必要であったシステムキッチン冷蔵庫においてに左右枠が扉蓋の機能も持つので、部品点数を減らすこととなり、取り付け作業工数減とコスト低減ができる。
【００２８】
（実施の形態９）
図１５から１６において、本発明の実施の形態１０における冷蔵庫の扉の分解斜視図を示すものである。外枠１０６の左右側壁１１０の内側に左右枠１０４をビス固定するためのピアス穴１９１を設け、左右枠１０４をピアス穴１９１にビス固定することにより、発泡断熱材１０８を充填後も左右枠１０４を容易に取り外せる。これによりこれまで化粧板を交換するために左右枠に被せていた扉蓋が必要であったシステムキッチン冷蔵庫においてに左右枠が扉蓋の機能も持つので、部品点数を減らすこととなり、取り付け作業工数減とコスト低減ができる。
【産業上の利用可能性】
【００２９】
本発明の冷蔵庫の扉は、左右辺をコの字に折り曲げられて剛性を持った外板により上下の枠の溝に挿入しやすく、また抜け難くなり、組み立て性が向上するので、食品貯蔵庫等の断熱扉にも適用できる。
【図面の簡単な説明】
【００３０】
【図１】本発明による冷蔵庫の実施の形態における冷蔵庫の斜視図
【図２】本発明による冷蔵庫の実施の形態における冷蔵庫の扉の分解斜視図
【図３】本発明による冷蔵庫の実施の形態における冷蔵庫の扉の横断面図
【図４】本発明による冷蔵庫の実施の形態における冷蔵庫の扉の縦断面図
【図５】本発明の実施の形態３における冷蔵庫の扉の分解斜視図
【図６】本発明の実施の形態４における冷蔵庫の扉の分解斜視図
【図７】本発明の実施の形態５における冷蔵庫の扉の分解斜視図
【図８】本発明の実施の形態５における冷蔵庫の扉の横断面図
【図９】本発明の実施の形態６における冷蔵庫の扉の分解斜視図
【図１０】本発明の実施の形態６における冷蔵庫の扉の横断面図
【図１１】本発明の実施の形態７における冷蔵庫の扉の分解斜視図
【図１２】本発明の実施の形態７における冷蔵庫の扉の横断面図
【図１３】本発明の実施の形態８における冷蔵庫の扉の分解斜視図
【図１４】本発明の実施の形態８における冷蔵庫の扉の横断面図
【図１５】本発明の実施の形態９における冷蔵庫の扉の分解斜視図
【図１６】本発明の実施の形態９における冷蔵庫の扉の横断面図
【図１７】従来の特許文献１における冷蔵庫扉の正面図
【図１８】従来の特許文献１における冷蔵庫扉の分解斜視図
【図１９】従来の特許文献１における冷蔵庫扉の組立図
【図２０】従来の特許文献１における冷蔵庫扉の正面図
【図２１】従来の特許文献２における冷蔵庫の斜視図
【図２２】従来の特許文献２における冷蔵庫扉の斜視図
【図２３】図２２のＡ−Ａ線断面図
【図２４】図２２のＢ−Ｂ線断面図
【符号の説明】
【００３１】
３    外板
５    発泡断熱材
６    化粧板
１０    扉
１１    溝
１２    凹溝
１３    上下枠
１４    側面穴
１５    左右枠
１７    扉蓋
１８    凸状リブ
１９    楔状リブ
２１    扉
２２    枠
２３    外板
２４    内板
２５    発泡断熱材
２８    補強板
１０１    扉
１０２    上下枠
１０４    左右枠
１０６    外板
１０７    内板
１０８    発泡断熱材
１０９    前面壁
１１０    左右側壁
１１２    フランジ部
１１４    溝
１１５    内側リブ
１３１    両面テープ
１４１    穴
１５１    凹溝
１５２    穴
１６１    突起物
１６２    挿入穴
１７１    爪
１７２    リブ
１７３    引っ掛け穴
１８１    ビス穴
１８２    止め板
１８３    ビス頭隠し凹部
１８４    ビス
１９１    ピアス穴
１９２    ビス頭隠し凹部
１９３    ビス
【図１】
2006046787.tif 000003
【図２】
2006046787.tif 000004
【図３】
2006046787.tif 000005
【図４】
2006046787.tif 000006
【図５】
2006046787.tif 000007
【図６】
2006046787.tif 000008
【図７】
2006046787.tif 000009
【図８】
2006046787.tif 000010
【図９】
2006046787.tif 000011
【図１０】
2006046787.tif 000012
【図１１】
2006046787.tif 000013
【図１２】
2006046787.tif 000014
【図１３】
2006046787.tif 000015
【図１４】
2006046787.tif 000016
【図１５】
2006046787.tif 000017
【図１６】
2006046787.tif 000018
【図１７】
2006046787.tif 000019
【図１８】
2006046787.tif 000020
【図１９】
2006046787.tif 000021
【図２０】
2006046787.tif 000022
【図２１】
2006046787.tif 000023
【図２２】
2006046787.tif 000024
【図２３】
2006046787.tif 000025
【図２４】
2006046787.tif 000026